(57)【特許請求の範囲】
【請求項１】
チャンネルに対応するデータを２以上含む放送波から分波された第１のチャンネルに対応する第１のデータから、番組表を作成するために必要な番組情報と前記番組情報以外の情報とを有するＳＩ情報を取得し、該取得したＳＩ情報に含まれる前記番組情報以外の情報を、予め規定された範囲内で遅延あるいは削除し、前記ＳＩ情報の容量を削減するＳＩ情報処理手段と、
前記ＳＩ情報処理手段によって削減された前記容量に応じた前記第１のデータとは異なる他のデータに含まれる他のチャンネルの番組情報を、前記ＳＩ情報の容量を削減した前記第１のデータに挿入し、前記第１のチャンネルに対応する番組情報と前記他のチャンネルの番組情報とを含むデータを作成する番組表データ作成手段と、を有することを特徴とする番組表データ制御装置。
【請求項２】
前記番組情報を格納する番組情報記憶手段を有し、
前記番組表データ作成手段は、前記番組情報記憶手段から前記容量に応じた前記他のチャンネルの番組情報を取り出し、該取り出した前記他のチャンネルの番組情報を、前記第１のデータに挿入する、ことを特徴とする請求項１記載の番組表データ制御装置。
【請求項３】
放送波をチャンネルに対応するデータに分波する分波手段を有し、
前記ＳＩ情報処理手段は、前記分波手段により分波された前記第１のデータから、前記ＳＩ情報を取得する、ことを特徴とする請求項１または２記載の番組表データ制御装置。
【請求項４】
前記番組表データ作成手段で作成したデータを合成して放送波を作成する合成手段を有する、ことを特徴とする請求項１から３の何れか１項に記載の番組表データ制御装置。
【請求項５】
前記ＳＩ情報処理手段は、
ＮＩＴの送出周期パラメータを大きくする処理と、
ＢＩＴの送出周期パラメータを大きくする処理と、
ＳＤＴの送出周期パラメータを大きくする処理と、
ＳＴを削除する処理と、の少なくとも１つの処理を、予め規定された範囲内で行い、前記ＳＩ情報の容量を削減する、ことを特徴とする請求項１から４の何れか１項に記載の番組表データ制御装置。
【請求項６】
前記番組情報記憶手段は、前記番組情報を格納する際に、既に同一チャンネルの番組情報が格納されている場合は、番組情報の比較を行い、番組情報が更新されている場合は、新しい番組情報に更新して格納することを特徴とする請求項２から５のいずれか１項に記載の番組表データ制御装置。
【請求項７】
前記合成手段は、分波せずに復調した放送波データと、前記番組表データ作成手段で作成したデータと、を合成した放送波を作成することを特徴とする請求項４から６のいずれか１項に記載の番組表データ制御装置。
【請求項８】
前記番組表データ作成手段で作成したデータをＲＦに変調するＲＦ変調手段を有し、
前記合成手段は、
前記ＲＦ変調手段で変調したＲＦを基に放送波を作成する、ことを特徴とする請求項４から７の何れか１項に記載の番組表データ制御装置。
【請求項９】
チャンネルに対応するデータを２以上含む放送波を受信し、下流へ送出する番組表データ制御装置と、前記番組表データ装置から送出される放送波を受信して受像するデジタル放送受信装置と、を備える番組表データ制御システムであって、
前記番組表データ制御装置は、
前記放送波から分波された第１のチャンネルに対応する第１のデータから、番組表を作成するために必要な番組情報と前記番組情報以外の情報とを有するＳＩ情報を取得し、該取得したＳＩ情報に含まれる前記番組情報以外の情報を、予め規定された範囲内で遅延あるいは削除し、前記ＳＩ情報の容量を削減するＳＩ情報処理手段と、
前記ＳＩ情報処理手段によって削減された前記容量に応じた前記第１のデータとは異なる他のデータに含まれる他のチャンネルの番組情報を、前記ＳＩ情報の容量を削減した前記第１のデータに挿入し、前記第１のチャンネルに対応する番組情報と前記他のチャンネルの番組情報とを含むデータを作成する番組表データ作成手段と、
前記番組表データ作成手段で作成したデータを基に放送波を作成して下流へ送出する合成手段と、を有することを特徴とする番組表データ制御システム。
【請求項１０】
チャンネルに対応するデータを２以上含む放送波から分波された第１のチャンネルに対応する第１のデータから、番組表を作成するために必要な番組情報と前記番組情報以外の情報とを有するＳＩ情報を取得し、該取得したＳＩ情報に含まれる前記番組情報以外の情報を、予め規定された範囲内で遅延あるいは削除し、前記ＳＩ情報の容量を削減するＳＩ情報処理工程と、
前記ＳＩ情報処理工程によって削減された前記容量に応じた前記第１のデータとは異なる他のデータに含まれる他のチャンネルの番組情報を、前記ＳＩ情報の容量を削減した前記第１のデータに挿入し、前記第１のチャンネルに対応する番組情報と前記他のチャンネルの番組情報とを含むデータを作成する番組表データ作成工程と、をコンピュータに実行させるプログラム。
【発明の詳細な説明】
【技術分野】
【０００１】
本発明は、デジタル放送の番組表を取得、制御する技術に関する。
【背景技術】
【０００２】
地上デジタル放送の受信機は、番組表（ＥＰＧ：Ｅｌｅｃｔｒｏｎｉｃ  Ｐｒｏｇｒａｍ  Ｇｕｉｄｅ）の表示機能を備えているものが多数を占めている。地上デジタル放送の受信機でネットワークの番組表を表示するためには、ネットワーク毎に送られてくる番組情報（Ｅｖｅｎｔ  Ｉｎｆｏｒｍａｔｉｏｎ  Ｔａｂｌｅ＝ＥＩＴ、Ｓｅｒｖｉｃｅ  Ｄｅｓｃｒｉｐｔｉｏｎ  Ｔａｂｌｅ＝ＳＤＴ）を収集する必要がある。これらの番組情報は、放送波に多重されて受信機に届く。
【０００３】
一方、現行の地上デジタル放送では、１つのネットワーク（地上デジタル放送では放送局単位）から送出される放送波には、当該ネットワークにおけるサービス（チャンネル）の番組情報のみが送出されるように、地上デジタル放送の運用規定であるＡＲＩＢ（社団法人  電波産業会）  ＴＲ−Ｂ１４（地上デジタルテレビジョン放送運用規定）で定められている。
【０００４】
また番組情報は放送波の帯域に制限があるため、一度に全番組表のデータが送られてくるのではなく、細分化されて少しずつ送られてくる。受信機側では、細分化された番組情報をバッファで蓄積して結合した上で内容を解析することにより、番組の放送時間やタイトルなどの番組表を表示させるのに必要な情報を少しずつ蓄積して取得することができる。
【０００５】
現行の地上デジタル放送においては、１放送局ネットワークにつき１週間分の番組表データが、ＭＰＥＧ２−ＴＳに細切れに重畳されて送られてくる。このため特定の放送局のサービス（チャンネル）の１週間分の番組表を見たい場合は、そのサービスに選局した上で、細分化された番組情報を１週間分、収集完了するまで待つ必要がある。
【０００６】
また地上デジタル放送の受信機で全サービスの番組表を表示するためには、一度全ての放送局のサービスを巡回して、各放送局で個別の番組表データを受信して収集する必要がある。つまりユーザが全ての放送局の番組表をみることができるようになるまでには、多くの時間（現行の地上デジタル放送では、１０分程度）がかかってしまうことになる。
【０００７】
一般的な地上デジタル放送の受信機では収集した番組情報を解析して取得した番組１つずつの情報を、逐次番組表の画面に反映させることで、ユーザの待ち時間を少しでも軽減させようとしている。しかし番組情報はどのような順番で送出されてくるかは放送局側の設定に依存し、そのときそのときで異なるため、ユーザが見たいと思っている時間帯の番組表が表示されるまで、最長で数分を必要とすることがある。このようにユーザに不要な待ち時間の負担をかけてしまうという問題がある。
【０００８】
このため、従来の地上デジタル放送の受信機では、スタンバイ状態にある時などに周回選局を行い、受信機内のバッファにあらかじめ番組情報を蓄積しておくことでこの問題に対応している。
【０００９】
例えば特許文献１では、番組表を受信した放送局順に番組情報を重ねて層状に表示することで番組表データ閲覧時におけるユーザの待ち時間軽減を行っている。
【００１０】
また、特許文献２では、アンテナの受信信号を分岐し、番組情報データのみを抽出する手段を別途備えることにより、視聴中とは別のチャンネルの番組データを取得し、番組表の取得時間を軽減する技術について開示されている。
【先行技術文献】
【特許文献】
【００１１】
【特許文献１】特開２００４−８８２８２号公報
【特許文献２】特開２００８−１４１５７９号公報
【発明の概要】
【発明が解決しようとする課題】
【００１２】
しかしながら、特許文献１に記載の技術では、受信機の電源オフ時には番組情報の取得を行うことができないため、起動直後などには全番組データを取得するまでには時間がかかる。そのため、常に最新の情報に保つためには番組情報の取得のための電力を常に供給する必要があり、消費電力が高くなってしまう。
【００１３】
また、特許文献２に記載の技術では、番組情報データを抽出する手段を放送局分設ければ、電源投入時などの最初の番組データ取得時においても全番組データを一度に取得することが可能となるが、構成が煩雑となるため、各チューナのコストが高くなり、１世帯で複数の受像機を用いる場合には、多くのコストが必要となる。
【００１４】
本発明は、複数の番組情報の取得にかかる時間を軽減することを目的とする。
【課題を解決するための手段】
【００１５】
本発明にかかる番組表データ制御装置は、
チャンネルに対応するデータを２以上含む放送波から分波された第１のチャンネルに対応する第１のデータから、番組表を作成するために必要な番組情報と前記番組情報以外の情報とを有するＳＩ情報を取得し、該取得したＳＩ情報に含まれる前記番組情報以外の情報を、予め規定された範囲内で遅延あるいは削除し、前記ＳＩ情報の容量を削減するＳＩ情報処理手段と、
前記ＳＩ情報処理手段によって削減された前記容量に応じた前記第１のデータとは異なる他のデータに含まれる他のチャンネルの番組情報を、前記ＳＩ情報の容量を削減した前記第１のデータに挿入し、前記第１のチャンネルに対応する番組情報と前記他のチャンネルの番組情報とを含むデータを作成する番組表データ作成手段と、を有することを特徴とする。
【発明の効果】
【００２４】
本発明によれば、複数の番組情報の取得にかかる時間を軽減することが可能となる。
【図面の簡単な説明】
【００２５】
【図１】本発明の実施形態に係る番組表データ制御システムの構成図である。
【図２】本発明の実施形態に係る番組表データ制御装置の機能ブロック図である。
【図３】本発明の実施形態に係るデジタル放送受信装置の機能ブロック図である。
【図４】本発明の実施形態に係る番組表データ制御装置のデータのフロー図である。
【図５】本発明の実施形態に係る番組表データ制御装置のフローチャート図である。
【図６】本発明の他の実施形態に係る番組表データ制御装置の機能ブロック図である。
【図７】本発明の他の実施形態に係るデジタル放送制御装置の機能ブロック図である。
【図８】本発明の他の実施形態に係る番組表データ制御装置のフローチャート図である。
【発明を実施するための形態】
【００２６】
次に、発明を実施するための最良の形態について図面を参照して詳細に説明する。
【００２７】
図１は、本発明の実施形態における番組表データ制御システムの構成図である。本番組表データ制御システムは、アンテナ１００１と、番組表データ制御装置１００２と、複数のデジタル放送受信装置１００３、１００４、１００５と、を有して構成される。
【００２８】
番組表データ制御装置１００２は、アンテナ１００１からアンテナ線を介して地上デジタル放送の放送波を受信し、ＳＩ情報などを遅延あるいは削除することにより、複数の番組情報を組み込んで下流に備えられるデジタル放送受信機１００３、１００４、１００５へと送信する。なお、上流のアンテナ１００１とはアンテナ線で接続されており、ＲＦ信号を受信する。また、下流の各デジタル放送受信機とは、アンテナ線あるいは有線／無線のＬＡＮなどで接続され、単一のチャンネルに複数の番組情報を有する放送波を送出する。
【００２９】
デジタル放送受信装置１００３、１００４、１００５は、番組表データ制御装置１００２より送信される複数の番組情報が組み込まれたデータを受信して受像を行う。
【００３０】
（実施形態１）
図２は、本発明の第１の実施形態における番組表データ制御装置の機能ブロック図である。本番組表データ制御装置は、ＲＦ（Ｒａｄｉｏ  Ｆｒｅｑｕｅｎｃｙ）分波部１と、複数のチューナ復調部２１、２２と、複数のＴＳデコーダ部３１、３２と、ＳＩ情報処理部４と、バッファ５と、番組情報処理部６と、バッファ７と、マルチプレクサ部８１、８２と、合成部９と、を有して構成される。符号の異なるチューナ復調部、ＴＳデコーダ部、マルチプレクサ部については、それぞれ同様の機能を有するためここでは各１つだけに絞って説明する。
【００３１】
なお、チューナ復調部と、ＴＳデコーダ部と、マルチプレクサ部と、はここでは１例として２つずつ示しているが、全放送チャンネル数に対応する同等の数を有することが好ましい。
【００３２】
チャンネル数より各機能部の数が少ない場合には、例えばデジタル放送受信機が予め決められた複数の番組情報を有するチャンネルの放送波を受信することで全番組情報を一度に取得することになる。すなわち、複数の番組情報を有するチャンネルを作成することができる数と各機能部の数とは同一となるため、複数の番組情報を有するチャンネルの放送波を受信したときに全番組情報を一度に取得可能である。その際、例えばデジタル放送受信機において特許文献２に記載されるように、受像チャンネルとは別に番組情報のみを受像チャンネルとは他のチャンネルから受像と同時に取得できるよう構成することで、所望の番組を視聴しつつ、全番組情報を取得することができる。
【００３３】
ＲＦ分波部１は、アンテナより受信した放送波を各チャンネルに対応するデータに分岐させ、チューナ復調部２１あるいはチューナ復調部２２に出力する。なお、チューナ復調部２１と２２とに分岐させるチャンネルの放送波は、予め決められたチャンネルに基づいて送出させても良いし、チューナ復調部の数が全放送チャンネル数に対して少ない場合などには、周期的にチャンネルを変化させるなどして送出させても良い。
【００３４】
チューナ復調部２１は、受信した信号を復調してデジタル信号に変換し、ＴＳデコーダ部３１に出力する。
【００３５】
ＴＳデコーダ部３１は、チューナ復調部２１からの信号に対して伸長処理を行い、マルチプレクサ部８１に出力する。このとき、別途著作権保護のための暗号復号化措置なども行われる。
【００３６】
ＳＩ情報処理部４は、ＴＳデコーダ部３１で伸長処理されたＭＰＥＧ２−ＴＳからＳＩ情報を取り込み、取り込んだＳＩ情報の遅延あるいは削除してマルチプレクサ部８１に送信する。このとき、遅延あるいは削除により得られる差分の容量（遅延情報）を番組情報処理部６へと通知する。また、その際にはバッファ５を用いてデータの遅延や削除などが行われる。
【００３７】
番組情報処理部６は、ＴＳデコーダ部３１で伸長処理されたＭＰＥＧ２−ＴＳから番組情報を取り込み、バッファ７へ格納する。また、ＳＩ情報処理部４から受け取った遅延情報に基づいて元データに挿入することのできる番組情報をバッファ７に格納されている番組情報から取り出し、マルチプレクサ部８へと送信する。なお、所望の番組情報を挿入するのに差分容量だけでは足りない場合には、データ放送の情報との置換を考慮して番組情報を取り出す。また、格納する際に既に同一チャンネルのデータが保存されている場合には、両者の比較を行い、データが更新されていると判断した場合にのみ情報を更新して保存するよう構成しても良いし、単にデータ取得時のデータを常に同一チャンネルのデータと置き換えるよう構成しても良い。
【００３８】
マルチプレクサ部８１は、ＳＩ情報処理部４から送信されたＳＩ情報と、番組情報処理部６から送信された番組情報を元データに置換あるいは挿入することにより、複数のチャンネルの番組情報を有するＭＰＥＧ２−ＴＳを作成し、合成部９へと送信する。
【００３９】
合成部９では、マルチプレクサ部８１及び８２から出力された各ＭＰＥＧ２−ＴＳを合成して放送波として下流のデジタル放送受信機へと送出する。このとき、別途著作権保護のための暗号化措置なども行われる。なお、チャンネル数より各機能部の数が少ない場合には、分波前の復調された放送波データとマルチプレクサ部を経由したデータとが合成されることになる。
【００４０】
ここで、ＳＩ情報について詳細に説明する。現行の地上デジタル放送で各放送局から送出されているＭＰＥＧ２−ＴＳには、映像、音声、字幕などのデータと共に、ＳＩ情報（Ｓｅｒｖｉｃｅ  Ｉｎｆｏｒｍａｔｉｏｎ）として表１に示すようなデータ（テーブル）が格納されている。
【００４１】
【表１】
0005342297.tif 000002
【００４２】
表１で示すようなＳＩ情報は、地上デジタル放送の運用規定であるＡＲＩＢ  ＴＲ−Ｂ１４に準拠して放送局から送出される。ＳＩ情報はデータ毎に一定（１秒〜１８０秒（ＣＤＴのみ６００秒に１回））の周期で繰り返し放送されており、その繰り返しの周期パラメータとして、運用規定で「最小値」「最大値」「デフォルト周期」が定められている。
【００４３】
すなわち、上記規定範囲内であれば、周期パラメータを変化させても受信機では正常に送出されてきたＳＩ情報として受信を行うことができる。
【００４４】
ＳＩ情報の中で番組表を作成するのに必要なものは、ＥＩＴ及びＳＤＴである。両者以外のＳＩ情報も放送の受信に必要なものではあるが、前述のように運用規定の範囲内であれば放送局で設定された周期パラメータを変化（遅延）させても受信機で正常なものとして処理することができる。
【００４５】
ＳＩ情報の遅延方法について一例を挙げて詳細に説明する。現行の地上デジタル放送の運用規定では、以下のような規則に従う必要がある（数値はあくまで実運用値の例であるため、放送局やチャンネル、番組によっては増減する）。
【００４６】
運用規定ＡＲＩＢ  ＴＲ−１４におけるＳＩ情報は、番組情報を含め合計で１Ｍｂｉｔ／ｓ＝１２８ＫＢ／ｓが最大帯域と規定されており、これを超えることはない。また、番組情報は２０〜３０ＫＢ／ｓ程度の帯域を占めている（１チャンネル８日分の番組情報で、合計１４００ＫＢ程度の情報量である）。
【００４７】
つまり、番組情報以外のＳＩ情報は、数十ＫＢ／ｓの帯域を占めている。これを表２に示すように遅延、あるいは削除させることで最大で２分の１程度（約１０ＫＢ／ｓ）までできる。
【００４８】
【表２】
0005342297.tif 000003
【００４９】
表２に示す遅延あるいは削除を行うことによって、削減したＳＩ情報とその他の情報との間にできた元データの「隙間」に数チャンネル分の番組情報を挿入可能となる。
【００５０】
なお、関東地方などのチャンネル数が多い地域になると、全チャンネル（最大で１０チャンネル程度）の番組情報を挿入する場合に「隙間」の帯域が足りないことが想定される。この場合は、ＭＰＥＧ２−ＴＳから特定の情報を削除して、そこに番組情報を挿入するなどの対応が必要となる。
【００５１】
この場合の対応としては、例えばデータ放送の情報と置き換えることなどが考えられる。データ放送の情報は、映像や音声、字幕などといったものと同様に放送波に重畳されて送信されており、帯域としては数百ＫＢ／ｓの容量を持っている。またデータ放送の受信を抑制しても放送の運用規定違反とはならない。
【００５２】
このように、データ放送の情報伝送に使用している帯域を番組情報の伝送に用いることで、多数のチャンネル情報を格納することができる。なお、置き換えは、マルチプレクサ部での結合時に行う。
【００５３】
図３は、本発明の第１の実施形態におけるデジタル放送受信装置の機能ブロック図である。ＬＡＮ入力部１０１と、ＴＳデコーダ部１０２と、オーディオデコーダ部１０３と、ビデオデコーダ部１０４と、字幕デコーダ部１０５と、データ放送ブラウザ部１０６と、ＯＳＤ（オンスクリーンディスプレイ）部１０７と、音声出力部１０８と、映像出力部１０９と、を有して構成される。
【００５４】
ＬＡＮ入力部１０１は、有線あるいは無線のＬＡＮ、又は専用のバスなどを介して番組表データ制御装置より放送波を受信し、下流のＴＳデコーダ部１０２へ送出する。
【００５５】
ＴＳデコーダ部１０２は、上流より送出されるＭＰＥＧ２−ＴＳを受信して伸長処理を行う。また、その際にＳＩ情報やデータ放送の情報などと置換、挿入された番組情報を破棄しないように設定されている。
【００５６】
音声出力部１０８は、オーディオデコーダ部１０３で復元された音声データの出力を行う。
【００５７】
映像出力部１０９は、ビデオデコーダ部１０４と、字幕デコーダ部１０５と、データ放送ブラウザ部１０６と、ＯＳＤ部１０７と、を介して変換された映像データの画面合成を行って出力を行う。
【００５８】
図４は、本発明の実施形態における番組表データ制御装置のデータのフロー図である。以下、図４を参照に本実施形態におけるデータフローについて詳細に説明する。
【００５９】
ここでは、電源投入時などにおいて予め全放送局の全チャンネルの番組表を取得しており、全チャンネルの番組情報が既にバッファ７に蓄積してあるものとする。
【００６０】
番組情報は、番組情報処理部に取り込まれ、バッファ７に格納される（ステップＳ１）。また、ＳＩ情報は、ＳＩ情報処理部に取り込まれる（ステップＳ２）。
【００６１】
ＳＩ情報処理部で送出する周期パラメータを変化させ遅延させられたＳＩ情報は、バッファ５に一時格納され、次の送出まで待機もしくは削除される（ステップＳ３）。
【００６２】
バッファ５に一時格納された遅延ＳＩ情報は、ＳＩ情報処理部で計算された遅延情報に従ってマルチプレクサ部に送出される（ステップＳ４）。
【００６３】
番組情報処理部でＳＩ情報処理部から通知された遅延情報が読み込まれ、どれだけの番組情報が挿入できるかが計算される。計算結果に基づいてバッファ７内に格納してある番組情報がマルチプレクサ部に送出される（ステップＳ５）。
【００６４】
マルチプレクサ部で受け取った各チャンネルの番組情報及び遅延させたＳＩ情報が、元データに置換、挿入されて１本のＭＰＥＧ２−ＴＳが構成される。また、遅延させていたＳＩ情報は、任意のタイミングで挿入される。
【００６５】
次に、図５に示す本発明の第１の実施形態におけるフローチャート図を参照に本番組表データ制御装置の動作について詳細に説明する。
【００６６】
番組表データ制御装置の電源が投入されると（ステップＳ１１）、番組情報処理部は、ＴＳデコーダ部から未取得のチャンネルにおける番組情報を取得し、バッファ７に格納する（ステップＳ１２）。
【００６７】
全チャンネルの番組情報が取得されたか否かを判断し（ステップＳ１３）、全チャンネルの番組情報が取得済みとなれば次ステップの処理を行う。なお、判断トリガを全チャンネルではなく、規定値以上のチャンネル数の番組情報、例えば３チャンネル以上の番組情報が得られた場合に次のステップへと進むよう構成しても良い。
【００６８】
番組情報処理部は、ＴＳデコーダ部において本線から番組情報（ＥＩＴ、ＳＤＴ）を取得し（ステップＳ２４）、バッファ７に蓄積する（ステップＳ２５）。蓄積する際は、既に保存されている同一チャンネルのデータと比較を行い、データが更新されていると判断した場合にのみ最新情報と置き換えて保存する。なお、データの更新に関わらず、取得時のデータを常に同一チャンネルデータと置き換えるよう構成しても良い。
【００６９】
ＳＩ情報処理部よりＳＩ情報の遅延情報を受信する（ステップＳ２６）。受信したＳＩ情報の遅延情報を参照し、バッファに蓄積した番組情報の送出量を制御して番組情報をマルチプレクサ部に送出する（ステップＳ２７）。
【００７０】
ＳＩ情報処理部は、ＴＳデコーダ部において本線からＳＩ情報（ＢＩＴ、ＳＤＴ、ＴＯＴ、ＳＴ、ＥＩＴ、ＳＤＴＴ、ＣＤＴ）を取得し（ステップＳ３４）、削除もしくはバッファ５を用いて遅延をさせて送出できるＳＩ情報の遅延情報を計算する（ステップＳ３５）。
【００７１】
番組情報処理部は、判定したＳＩ情報の遅延情報を送信する（ステップＳ３６）。遅延情報に基づいてバッファ５を用いてＳＩ情報の削除もしくは遅延を行いながらＳＩ情報をマルチプレクサ部に送出する（ステップＳ３７）。
【００７２】
マルチプレクサ部は、本線となるＭＰＥＧ２−ＴＳに番組情報処理部より受け取った番組情報とＳＩ情報処理部より受け取ったＳＩ情報とを、本線のＳＩ情報を削減などして得られたデータの隙間などに挿入する（ステップＳ４８）。
【００７３】
合成部は、各マルチプレクサ部より受信した複数の番組情報を有するＭＰＥＧ２−ＴＳを１本のデータとして合成し、下流に送出する（ステップＳ４９）。
【００７４】
（実施形態２）
図６は、本発明の第２の実施形態における番組表データ制御装置の機能ブロック図である。本番組表データ制御装置は、ＲＦ（Ｒａｄｉｏ  Ｆｒｅｑｕｅｎｃｙ）分波部１と、複数のチューナ復調部２１、２２と、複数のＴＳデコーダ部３１、３２と、ＳＩ情報処理部４と、バッファ５と、番組情報処理部６と、バッファ７と、マルチプレクサ部８１、８２と、ＲＦ変調部１０、１１と、ＲＦ合成部１２と、を有して構成される。なお、第１の実施形態と同様の機能部については、同一の符号を記し、説明を省略する。
【００７５】
ＲＦ変調部１０は、マルチプレクサ部８１で作成されたＭＰＥＧ２−ＴＳをＲＦに変調し、ＲＦ合成部１１へと送出する。
【００７６】
ＲＦ合成部１１は、ＲＦ変調部１０及びＲＦ変調部１１にて変調処理された各ＲＦを合成して１本のＲＦとし、下流に送出する。
【００７７】
図７は、本発明の第２の実施形態におけるデジタル放送受信装置の機能ブロック図である。アンテナ線入力部１１１と、チューナ復調部１１２と、ＴＳデコーダ部１０２と、オーディオデコーダ部１０３と、ビデオデコーダ部１０４と、字幕デコーダ部１０５と、データ放送ブラウザ部１０６と、ＯＳＤ（オンスクリーンディスプレイ）部１０７と、音声出力部１０８と、映像出力部１０９と、を有して構成される。
【００７８】
アンテナ線入力部１１１は、アンテナ線を介して番組表データ制御装置より放送波を受信し、下流のチューナ復調部１１２へ送出する。
【００７９】
チューナ復調部１１２は、受信した信号を復調してデジタル信号に変換し、下流のＴＳデコーダ部１０２に出力を行う。
【００８０】
次に、図８に示す本発明の第２の実施形態におけるフローチャート図を参照に本番組表データ制御装置の動作について詳細に説明する。
【００８１】
番組表データ制御装置の電源が投入されると（ステップＳ１１）、番組情報処理部は、ＴＳデコーダ部から未取得のチャンネルにおける番組情報を取得し、バッファ７に格納する（ステップＳ１２）。
【００８２】
全チャンネルの番組情報が取得されたか否かを判断し（ステップＳ１３）、全チャンネルの番組情報が取得済みとなれば次ステップの処理を行う。なお、判断トリガを全チャンネルではなく、規定値以上のチャンネル数の番組情報、例えば３チャンネル以上の番組情報が得られた場合に次のステップへと進むよう構成しても良い。
【００８３】
番組情報処理部は、ＴＳデコーダ部において本線から番組情報（ＥＩＴ、ＳＤＴ）を取得し（ステップＳ２４）、バッファ７に蓄積する（ステップＳ２５）。蓄積する際は、既に保存されている同一チャンネルのデータと比較を行い、データが更新されていると判断した場合にのみ最新情報と置き換えて保存する。なお、データの更新に関わらず、取得時のデータを常に同一チャンネルデータと置き換えるよう構成しても良い。
【００８４】
ＳＩ情報処理部よりＳＩ情報の遅延情報を受信する（ステップＳ２６）。受信したＳＩ情報の遅延情報を参照し、バッファに蓄積した番組情報の送出量を制御して番組情報をマルチプレクサ部に送出する（ステップＳ２７）。
【００８５】
ＳＩ情報処理部は、ＴＳデコーダ部において本線からＳＩ情報（ＢＩＴ、ＳＤＴ、ＴＯＴ、ＳＴ、ＥＩＴ、ＳＤＴＴ、ＣＤＴ）を取得し（ステップＳ３４）、削除もしくはバッファ５を用いて遅延をさせて送出できるＳＩ情報の遅延情報を計算する（ステップＳ３５）。
【００８６】
番組情報処理部に判定したＳＩ情報の遅延情報を送信する（ステップＳ３６）。遅延情報に基づいてバッファ５を用いてＳＩ情報の削除もしくは遅延を行いながらＳＩ情報をマルチプレクサ部に送出する（ステップＳ３７）。
【００８７】
マルチプレクサ部は、本線となるＭＰＥＧ２−ＴＳに番組情報処理部より受け取った番組情報とＳＩ情報処理部より受け取ったＳＩ情報とを、本線のＳＩ情報を削減などして得られたデータの隙間などに挿入して下流へ送出する（ステップＳ４８）。
【００８８】
ＲＦ変調部は、複数の番組情報が組み込まれたＭＰＥＧ２−ＴＳをＲＦに変調して送出する（ステップＳ４９）。
【００８９】
ＲＦ合成部は、各ＲＦ変調部より受信した複数の番組情報を有するＲＦを１本のデータとして合成し、下流に送出する（ステップＳ５０）。
【００９０】
本実施形態によれば、番組表データ制御装置とデジタル放送受信装置においてアンテナ入力を用いてデータの授受ができるため、例えば現行のチューナなどに対応させることが可能となる。
【００９１】
（実施形態３）
上記実施形態における番組表データ制御装置の各機能をＰＣあるいは受信機に備えることも可能である。この場合には、出力先を有線／無線ＬＡＮとすることが好ましい。
【００９２】
本発明の実施形態によれば、地上デジタル放送の放送波の中からＭＰＥＧ２−ＴＳを取り出し、その中にある番組情報（ＥＩＴ、ＳＤＴ）を取得する。これを全てのネットワークで行い、全ての番組情報を収集して内部のメモリなどのバッファに蓄える。
【００９３】
その上で本線のＭＰＥＧ２−ＴＳから削減もしくは遅延化（送出間隔の長周期化）できるＳＩ情報を選定してＭＰＥＧ２−ＴＳに空きを設ける。この空きに合わせた形で番組情報を追加挿入し、最多重して新たなＭＰＥＧ２−ＴＳを作り出し、アンテナ線（ＲＦ信号）や有線／無線ＬＡＮ（ＭＰＥＧ２−ＴＳのストリーム等）で送出する。
【００９４】
このように番組情報の送出量を増やすことで、下流に設置した受信機ではユーザの所望する番組表をより速く提示することができるようになる。
【００９５】
また受信機の電源を完全にオフしている状態からでも早く番組表を提示することができるので、集合住宅などで運用すれば放送受信システム全体として省電力化が実現できる。
【００９６】
以上、実施の形態を説明したが、特許請求の範囲に定義された本発明の広範囲な趣旨および範囲から逸脱することなく、これら実施の形態や具体例に様々な修正および変更が可能である。
【符号の説明】
【００９７】
１    ＲＦ分波部
２１    チューナ復調部
３１    ＴＳデコーダ部
４    ＳＩ情報処理部
５    バッファ
６    番組情報処理部
７    バッファ
８１    マルチプレクサ部
９    合成部
１０    ＲＦ変調部
１２    ＲＦ合成部
１００１    アンテナ
１００２    番組表データ制御装置
１００３    デジタル放送受信装置
【図１】
0005342297.tif 000004
【図２】
0005342297.tif 000005
【図３】
0005342297.tif 000006
【図４】
0005342297.tif 000007
【図５】
0005342297.tif 000008
【図６】
0005342297.tif 000009
【図７】
0005342297.tif 000010
【図８】
0005342297.tif 000011